(57)【要約】【課題】両側壁間を仕切る仕切壁を設けた場合でも、ファイル等を傷付けない、安定したファイルボックスを提供すること。【解決手段】接合代２Ａ、３Ａ、４Ａをそれぞれ内方へ直角に折り曲げてから、ボックス本体５の底壁２を下にして両側壁３、４を上方に直角に折り曲げる。そして、このように折り曲げ加工した後に、背壁６の下端部及び両側端部を収納空間側から各接合代２Ａ、３Ａ、４Ａに当接させ、この各接合代２Ａ、３Ａ、４Ａ部分をスポット溶接し、ボックス本体５と背壁６とを溶接固定する。次に、仕切壁７の挿入片１０を背壁６の挿入孔９に、挿入片１１を底壁２の挿入孔８にそれぞれ挿入し、この挿入により外方へ突き出た各挿入片１０、１１を、アルゴン溶接により溶かしながら溶接し、ボックス本体５及び背壁６に仕切壁７を溶接固定する。【選択図】図２
2008228878.tif 000002
【特許請求の範囲】
【請求項１】
少なくとも底壁と両側壁と背壁とを備え、収納空間を仕切る仕切壁を前記両側壁間に設けて、ファイル等を収納して机等の保管場所に載置するファイルボックスにおいて、前記底壁及び背壁に挿入孔を開設すると共に前記仕切壁の背部及び後部に挿入片を突設させ、前記各挿入孔に前記各挿入片を挿入させた状態で前記各挿入片を溶着して前記両側壁間に前記仕切壁を固定したことを特徴とするファイルボックス。
【請求項２】
少なくとも底壁と両側壁と背壁とを備え、収納空間を仕切る仕切壁を前記両側壁間に設けて、ファイル等を収納して机等の保管場所に載置するファイルボックスにおいて、前記底壁及び背壁に挿入孔を開設すると共に前記仕切壁の背部及び後部に挿入片を突設させ、前記各挿入片を前記各挿入孔に挿入させてこの各挿入孔から突出した部分を溶着して前記両側壁間に前記仕切壁を固定したことを特徴とするファイルボックス。
【請求項３】
少なくとも底壁と両側壁と背壁とを備え、収納空間を仕切る仕切壁を前記両側壁間に設けて、ファイル等を収納して机等の保管場所に載置するファイルボックスにおいて、前記底壁及び背壁に挿入孔を開設すると共に前記仕切壁の背部及び後部に挿入片を突設させ、且つ前記各挿入孔の空間容積より前記各挿入片の体積を僅か大きくして、前記各挿入片を前記各挿入孔に挿入させてこの各挿入孔から突出した部分を溶着して前記両側壁間に前記仕切壁を固定し、その後溶着部分の出っ張りを均すことを特徴とするファイルボックス。
【発明の詳細な説明】
【技術分野】
【０００１】
本発明は、ファイル等を収納して机等の保管場所に載置するファイルボックス、詳述すれば、少なくとも底壁と両側壁と背壁とを備え、収納空間を仕切る仕切壁を前記両側壁間に設けて、ファイル等を収納して机等の保管場所に載置するファイルボックスに関する。
【背景技術】
【０００２】
この種のファイルボックスとして、プラスチック板を用いた組立式のものが提案されている（特許文献１参照）。
【特許文献１】特開２００６−１５１４３１号公報
【発明の開示】
【発明が解決しようとする課題】
【０００３】
しかしながら、薄いプラスチック板では、必ずしも強度が十分なものとはいえず、安定感に欠け、重厚感も無い。このため、鋼板製のファイルボックスが考えられるが、両側壁間を仕切る仕切り板を設けた場合に、その取り付け構造上、はみ出し部分が生じて、このはみ出し部分が収納するファイル等をときに傷付けてしまうことがある。
【０００４】
そこで本発明は、両側壁間を仕切る仕切壁を設けた場合でも、ファイル等を傷付けない、安定したファイルボックスを提供することを目的とする。
【課題を解決するための手段】
【０００５】
このため第１の発明は、少なくとも底壁と両側壁と背壁とを備え、収納空間を仕切る仕切壁を前記両側壁間に設けて、ファイル等を収納して机等の保管場所に載置するファイルボックスにおいて、前記底壁及び背壁に挿入孔を開設すると共に前記仕切壁の背部及び後部に挿入片を突設させ、前記各挿入孔に前記各挿入片を挿入させた状態で前記各挿入片を溶着して前記両側壁間に前記仕切壁を固定したことを特徴とする。
【０００６】
第２の発明は、少なくとも底壁と両側壁と背壁とを備え、収納空間を仕切る仕切壁を前記両側壁間に設けて、ファイル等を収納して机等の保管場所に載置するファイルボックスにおいて、前記底壁及び背壁に挿入孔を開設すると共に前記仕切壁の背部及び後部に挿入片を突設させ、前記各挿入片を前記各挿入孔に挿入させてこの各挿入孔から突出した部分を溶着して前記両側壁間に前記仕切壁を固定したことを特徴とする。
【０００７】
第３の発明は、少なくとも底壁と両側壁と背壁とを備え、収納空間を仕切る仕切壁を前記両側壁間に設けて、ファイル等を収納して机等の保管場所に載置するファイルボックスにおいて、前記底壁及び背壁に挿入孔を開設すると共に前記仕切壁の背部及び後部に挿入片を突設させ、且つ前記各挿入孔の空間容積より前記各挿入片の体積を僅か大きくして、前記各挿入片を前記各挿入孔に挿入させてこの各挿入孔から突出した部分を溶着して前記両側壁間に前記仕切壁を固定し、その後溶着部分の出っ張りを均すことを特徴とする。
【発明の効果】
【０００８】
本発明は、両側壁間を仕切る仕切壁を設けた場合でも、ファイル等を傷付けない、安定したファイルボックスを提供することができる。
【発明を実施するための最良の形態】
【０００９】
以下図面に基づき、本発明の実施の形態を説明する。図１は本発明のファイルボックス１の展開図、図２は同じくファイルボックス１の組立図を示す。先ず、このファイルボックス１は、大きく分けて、底壁２及び両側壁３、４を備えたボックス本体５と、長方形状の背壁６と、収納空間を仕切る仕切壁７とから構成され、この全ての構成部分は、例えば厚さ１．０ミリメートル程度の鋼板で構成する。
【００１０】
図１に示す前記ボックス本体５の点線は、折り曲げ位置を示し、底壁２及び両側壁３、４の後部には前記背壁６との接合代２Ａ、３Ａ、４Ａが、一部切除されて接合時には重合しないように形成されている。また、両側壁３、４の前上部は、危険の無いように、斜め下方に向けて滑らかに切除している。そして、前記底壁２の中間部には、左右の中心線上に２個の矩形状の挿入孔８を開設する。
【００１１】
前記背壁６の中間部には、左右の中心線上に２個の矩形状の挿入孔９が開設されている。また、前記仕切壁７の背部及び後部にはそれぞれ２つの挿入片１０、１１を突設させると共に両側壁３、４と同様に、前上部は危険の無いように、斜め下方に向けて滑らかに切除している。前記挿入片１０、１１は前記底壁２の挿入孔８、背壁６の挿入孔９に挿入した際に、これらの挿入孔８、９を貫通して外方へわずか突出する程度の長さを有する。
【００１２】
以上の構成により、以下組み立て動作について説明する。先ず、接合代２Ａ、３Ａ、４Ａをそれぞれ内方へ直角に折り曲げてから、ボックス本体５の底壁２を下にして両側壁３、４を上方に直角に折り曲げる。この場合、ボックス本体５の底壁２を下にして両側壁３、４を上方に直角に折り曲げてから、接合代２Ａ、３Ａ、４Ａをそれぞれ内方へ直角に折り曲げてもよい。
【００１３】
そして、このように折り曲げ加工した後に、背壁６の下端部及び両側端部を収納空間側から各接合代２Ａ、３Ａ、４Ａに当接させ、この各接合代２Ａ、３Ａ、４Ａ部分をスポット溶接し、ボックス本体５と背壁６とを溶接固定する。
【００１４】
次に、前記仕切壁７の挿入片１０を前記背壁６の挿入孔９に、挿入片１１を底壁２の挿入孔８にそれぞれ挿入する。そして、この挿入により外方へ突き出た各挿入片１０、１１を、例えばアルゴン溶接により溶かしながら溶接して、ボックス本体５及び背壁６に仕切壁７を溶接固定し、即ち溶着して固定する。
【００１５】
この場合、前記背壁６の各挿入孔９の空間容積（開口面積×板厚）より仕切壁７の各挿入片１０の体積を僅か大きくすると共に前記底壁２の各挿入孔８の空間容積（開口面積×板厚）より仕切壁７の各挿入片１１の体積を僅か大きくし、各挿入片１０、１１を各挿入孔９、８に挿入した際に隙間があっても、この隙間が無くなるようにして、ボックス本体５及び背壁６に仕切壁７が溶接固定される。その後、溶着部分が僅か出っ張るので、グラインダー、サンダー等で平らとなるように削って均す。従って、はみ出し部分が無いので、このはみ出し部分が収納する各種ファイルや本等を傷付けてしまうことがない。即ち、ファイルボックス１の収納内部及び外部にはみ出した部分が無いので、収納するファイル等や、机や棚等の保管場所に載置した場合の周辺を傷付けてしまうことが無い。
【００１６】
そして、前述したように一体化した後、ファイルボックス１全体に焼付け塗装を施す。これにより、両側壁３、４間を仕切る仕切壁７を設けても、はみ出し部分が生じないので、収納するファイル等を傷付けてしまうことが無く、重厚感のある安定したファイルボックス１を提供するがことができる。
【００１７】
なお、本実施形態では、ボックス本体に前壁を設けないが、設けてもよい。この場合、前壁は大きなものではなく、ボックス本体の前面開口の全てに亘ってものではない。
【００１８】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００１９】
【図１】ファイルボックスの展開図である。
【図２】ファイルボックスの組立図である。
【符号の説明】
【００２０】
１            ファイルボックス
２            底壁
３、４        側壁
５            ボックス本体
６            背壁
７            仕切壁
・      挿入孔
１０、１１    挿入片
【図１】
2008228878.tif 000003
【図２】
2008228878.tif 000004